Podtech/llm-jp-corpus-v4-ja_patent huggingface dataset:
(57)【要約】【課題】モータによって操作が迅速になり、ナットの着脱がスピーディ且つ簡単な可動スパナの構造を提供する。      【解決手段】可動スパナの構造は、主にスパナのヘッド部一側面に突出した支持部が延び、別側には直角形状の滑動槽が成形される。そこに滑動挟持体下側に給動歯を具えた駆動基部を嵌入する。その給動歯と下側横に設置した給動槓桿を噛み合わせ、給動槓桿の一端に歯車とモータによって動くチェーンを噛み合わせる。これによってスイッチを切り換えると、モータが正反転し、滑動挟持体を動かして挟持口を広げたり、狭めたりしてナットを挟持する。【選択図】図１
0003109405.tif 000002
【実用新案登録請求の範囲】
【請求項１】
スパナのヘッド部一側面に突出した支持部が延び、別側には直角形状の滑動槽が成形され、そこに滑動挟持体下側に給動歯を具えた駆動基部を嵌入し、その給動歯と下側横に設置した給動槓桿を噛み合わせ、給動槓桿の一端に歯車とモータによって動くチェーンを噛み合わせ、ナットを着脱するルーフ用遠心ファンにおいて、
給動槓桿の一端に設置した歯車と下のモータによって動くチェーンが噛み合い、スイッチを切り換えると、モータが正反転し、滑動挟持体を動かして挟持口を広げたり、狭めたりしてナットを挟持することを特徴とする可動スパナの構造。
【請求項２】
前記スイッチは、スパナの中空内部に制御スイッチを納置し、外壁の押ボタン両端と相対し、両制御スイッチは電気コードによって電池槽の金属極片及びモータに連接して回路を制御することを特徴とする請求項１記載の可動スパナの構造。
【考案の詳細な説明】
【技術分野】
【０００１】
本考案は、可動スパナの構造に関するもので、電動モータで挟持口を開閉するものである。
【背景技術】
【０００２】
公知の可動スパナ構造は、一般的にヘッド一側面に突出した支持部が形成され、支持部別側には直角状の滑動槽が成形される。滑動槽の横向底側には凹んだ導入槽が成形されて滑動挟持体の下方にある給動歯の駆動基部を嵌入する。この給動歯と下側の給動槓桿を噛み合わせ、給動槓桿が回転して滑動挟持体が駆動し滑動する。それによって、支持部をネジヘッド若しくはナットを挟持して対応させる。
【考案の開示】
【考案が解決しようとする課題】
【０００３】
解決しようとする問題点は、使用者が手で滑動挟持体の給動歯下側の給動槓桿を回転させて一周回すと、やっと滑動挟持体が動く程度で、不便で、労力も費やさなければならない点である。
【課題を解決するための手段】
【０００４】
本考案は、主にスパナのヘッド部一側面に突出した支持部が延び、別側には直角形状の滑動槽が成形される。そこに滑動挟持体下側に給動歯を具えた駆動基部を嵌入する。その給動歯と下側横に設置した給動槓桿を噛み合わせ、給動槓桿の一端に歯車とモータによって動くチェーンを噛み合わせる。これによってスイッチを切り換えると、モータが正反転し、滑動挟持体を動かして挟持口を広げたり、狭めたりしてナットを挟持することを最も主要な特徴とする。
すなわち、本考案の可動スパナの構造は請求項１に記載するように、
スパナのヘッド部一側面に突出した支持部が延び、別側には直角形状の滑動槽が成形され、そこに滑動挟持体下側に給動歯を具えた駆動基部を嵌入し、その給動歯と下側横に設置した給動槓桿を噛み合わせ、給動槓桿の一端に歯車とモータによって動くチェーンを噛み合わせ、ナットを着脱するルーフ用遠心ファンにおいて、
給動槓桿の一端に設置した歯車と下のモータによって動くチェーンが噛み合い、スイッチを切り換えると、モータが正反転し、滑動挟持体を動かして挟持口を広げたり、狭めたりしてナットを挟持することを特徴とする。
また、前記スイッチは、スパナの中空内部に制御スイッチを納置し、外壁の押ボタン両端と相対し、両制御スイッチは電気コードによって電池槽の金属極片及びモータに連接して回路を制御することを特徴とする。
【考案の効果】
【０００５】
本考案の可動スパナの構造は、モータの駆動によって人の力に代わって操作する。そのため、使用者の力を大幅に削減し、長時間作業ができるという利点がある。また電動の迅速な切り換えによって、ナットの着脱操作が早くなり、作業時間を短縮するという利点がある。
【考案を実施するための最良の形態】
【０００６】
図１に示すとおり、本考案は、スパナ１０のヘッド部１１一側面に支持部１２が成形される。そして、その支持部１２別側には直角状の滑動槽１３が形成され、その滑動槽１３の横向底側に凹んだ導入槽１４には、滑動挟持体１５下部に給動歯１５１を具えた基部が嵌入される。その給動歯１５１と下部に設置した給動槓桿１６が噛み合い、給動槓桿１６の回転によって、滑動挟持体１５が滑動移動し、支持部１２と対応してナットを挟む。この給動槓桿１６一端は歯車が設置され、下に納置されたモータ２０によって動くチェーン２１と噛み合う。スパナ１０の空間内部には制御スイッチ３０がコードと電池槽１８の金属極片１８１に連接しており、電池槽１８内には二つの電池４０が入る。スパナ１０の中空内部は蓋板１９によって閉め、ネジ１９１で固定する。
【０００７】
図２に示すのは、本考案の立体組立図で、モータ２０をスパナ１０の納置槽に装置し、二つの制御スイッチ３０をスパナの中空内部に内蔵する。そして電池４０を電池槽１８に入れ、蓋板１９でスパナ１０の中空内部を閉じ、ネジ１９１で締める。押ボタン１７の両端を押すと、モータがチェーン２１を動かし、滑動挟持体１５を動かす。
【０００８】
本考案のスパナ１０は押ボタン１０の一端を押してモータの回転方向を切り換え、チェーン２１が滑動挟持体１５を動かし、支持部１２に向かって滑動し、ナット５０を挟む。
【図面の簡単な説明】
【０００９】
【図１】本考案の立体分解図である。
【図２】本考案の立体組立図である。
【図３】本考案の実施例立体指示図である。
【符号の説明】
【００１０】
１０        スパナ
１１        ヘッド部
１２        支持部
１３        滑動槽
１４        導入槽
１５        滑動挟持体
１５１        給動歯
１６        給動槓桿
１７        押ボタン
１８        電池槽
１８１        金属極片
１９        蓋板
１９１        ネジ
２０        モータ
２１        チェーン
３０        制御スイッチ
４０        電池
５０        ナット
【図１】
0003109405.tif 000003
【図２】
0003109405.tif 000004
【図３】
0003109405.tif 000005
(57)【要約】      （修正有）【課題】荷重の増加を示す指示針の回転速度を電気信号に変換し、ピーク時に生ずる応力速度の変化を検知して作用圧を減圧させ、供試体の爆裂破壊を防止することにより、破断した供試体の破片飛散で生じる労働災害を防ぎ、また、爆裂破壊時に生じる衝撃荷重による試験機のダメージを軽減する。【解決手段】指針針４の回転軸５に取り付けた、ロータリーエンコーダ１のパルス信号をカウンター２で読み取り、破壊曲線のピークにおけるパルス信号の変化を検知して、電磁弁３を開いて、圧縮シリンダーの圧力を瞬時に減圧させる。【選択図】図−２
0003109410.tif 000002
【実用新案登録請求の範囲】
【請求項１】
指示針（４）の回転軸（５）に取り付けた、ロータリーエンコーダ（１）のパルス信号を、カウンター（２）で読み取り、破壊曲線のピークにおけるパルス信号の変化を検知して、電磁弁（３）を開いて、圧縮シリンダーの圧力を瞬時に減圧させ供試体（６）の爆裂を防止する装置。
【考案の詳細な説明】
【考案の詳細な説明】
【産業上の利用分野】
【０００１】  この考案は、コンクリート供試体などの一軸強度試験において、爆裂破壊による、破片飛散の危険を防止する方法に関するものである。
【背景技術】
【０００２】  試験する者が、加圧弁（８）を操作しながら荷重の増加に応じて動く指示針（４）の速さを目視観測し、ピーク時に生じる指示針の速度の微妙な変化を察知し、経験的に加圧を止め、戻し弁（９）を開くことで爆裂を防止している。
【考案が解決しようとする課題】
【０００３】  圧縮強度試験において、爆裂破壊を生じさせると、供試体（６）の破片が飛散し、労働災害を起こす危険性があり、また、瞬間的に破壊するので試験機に衝撃を与え、試験機故障の原因となる。
【０００４】  従来の技術では、最大荷重に達した時、指示針（４）の動く速度が遅くなる瞬間を、試験者が爆裂直前と判断していた。
【０００５】  圧縮強度試験供試体は、その性状的種類、配合設計や材齢により、その破壊挙動が異なり、試験者には経験的知識と熟練度が必要で、爆裂破壊を安全に防止することは困難であった。
【課題を解決するための手段】
【０００６】  指示針（４）の回転軸（５）に、ロータリーエンコーダ（１）を直結し、その信号を取り込むカウンター（２）を設け、圧力を開放する電磁弁（３）を取り付ける。
【０００７】  圧縮試験機の油圧回路に分岐を設け、電磁弁（３）を取り付け、油槽に油が戻るようにする。
【作用】
【０００８】  指示針（４）の回転軸（５）に直結した、ロータリーエンコーダ（１）により、指示針の回転速度に比例したパルス信号が発信される。
【０００９】  ロータリーエンコーダ（１）から発信されたパルス信号は、カウンター（２）により単位時間毎にカウントされ、そのカウント数が設定値までダウンしたら指令信号を発する。
【００１０】  カウンター（２）から発信される指令信号を受けて、電磁弁（３）が開放され、回路の油圧が低下、加圧を停止する。
【考案の効果】
【００１１】  この考案により、人間の経験知識とバルブ操作テクニックにより実行されていた、圧縮試験における爆裂防止が自動的に行われる。
【００１２】  また、ロータリーエンコーダ（１）の累積パルス信号をカウントすることで、指示針（４）が示すピーク値を電気信号に変換し、記録データに使用できる。
【００１３】  この装置は、新規に製造する圧縮試験機に装備することはもとより、既に稼働している圧縮試験機に取り付け、爆裂を防止する機能を付加することができる。
【図面の簡単な説明】
【図−１】  一般的な油圧振子式一軸圧縮試験機の機構図である。
【図−２】  爆裂防止装置と、油圧振子式一軸圧縮試験機の関連図である。
【符号の説明】
（１）ロータリーエンコーダ
（２）カウンター
（３）電磁弁
（４）指示針
（５）回転軸
（６）供試体
（７）油圧シリンダー
（８）加圧弁
（９）戻し弁
（１０）メジャーリングラム
（１１）振り子
（１２）油圧ポンプ
【図−１】
0003109410.tif 000003
【図−２】
0003109410.tif 000004
(57)【要約】【課題】  靴の外部からの冷気を遮断する効果が持続されず、足の保温性を失う不都合の解消等。【解決手段】  球形断熱材４を一層設けることにより、この課題を解決する。【選択図】  図２
0003109408.tif 000002
【実用新案登録請求の範囲】
【請求項１】
靴底の内側に球形の断熱材を一層設け、靴底の上部側面に球形の断熱材を設ける。以上の如く構成された、防寒靴。
【考案の詳細な説明】
【技術分野】
【０００１】  本考案は、靴底部内側と靴底部上部の側面に断熱材の層を設けた、防寒靴に関するものである。
【背景技術】
【０００２】  従来、保温性の高い、ボア等を内側に貼った防寒靴等は有るが、外部からの冷気を遮断する効果は無く、その保温持続性は短い。
【考案の開示】
【考案が解決しようとする問題】
【０００３】  本案は、その欠点を除いて、靴底からの冷気と上部からの冷気を遮断し、足温の低下を防ぐ開発しようとするものである。
【課題を解決するための手段】
【０００４】  今、その解決手段を図面に追いながら説明すれば、靴底部の内側と靴底部上部の側面に球形の断熱材を一層設ける。
【考案の効果】
【０００５】  したがって、球形の断熱材の断熱効果により、靴底からの冷気と靴底上部側面からの冷気を遮断し、足温の低下を長時間防ぐことができる。
【考案を実施するための最良の形態】
【０００６】  本考案に係る防寒靴は、図２に示すように靴底の内側に球形の断熱材４を一層設けその内側に中敷６を貼る。靴底上部側面の表皮の内側に、球形断熱材４を一層設け、その内側に内張り布５を貼る。球形断熱材の素材は保温効果の高い発砲スチロールでよい。
【図面の簡単な説明】
【０００７】
【図１】  本考案に係る、防寒靴の斜面である。
【図２】  本考案に係る、防寒靴の側部断面図である。
【符号の説明】
【０００８】      １    靴底の上部側面
２    靴底
３    表皮
４    球形断熱材
５    内張り布
６    中敷
【図１】
0003109408.tif 000003
【図２】
0003109408.tif 000004
(57)【要約】      （修正有）【課題】簡便且つ美的感覚に配慮した靴用の認識票を開発したい。【解決手段】靴ひもに巻きつける形状の認識票を開発する。【選択図】図４
0003109440.tif 000002
【実用新案登録請求の範囲】
【請求項１】
靴ひもに巻きつける形状の認識票
【考案の詳細な説明】
【考案の詳細な説明】
【技術分野】  雑貨
【背景技術】  靴に直接記入する方法などで、所有者を表示していた。
【考案が解決しようとする課題】
従来、靴の所有者を表示する手段としては、靴のかかと部分などに名前を直接記入する方法が取られてきたが、美的感覚の進展などの理由により、往々にして記入がなされず所有者が明確になっていないものが多かった。結果として、山小屋など類似した靴が多数存在する場所での履き間違いが起こり不都合を発生させていた。本考案は簡便且つ美的感覚にも配慮した形状の認識票により、従来からの課題を解決しようとするものである。
【課題を解決するための手段】
靴ひもに巻きつける形状により、簡便かつ美的感覚に優れた認識票を開発する。
【考案を実施するための最良の形態】  靴ひもに巻きつける認識票
【実施例】  ▲１▼靴ひもに巻きつけロール状に接合するようにベルクロ加工した認識票
▲２▼靴ひもに巻きつけタグ状に接合するようにベルクロ加工した認識票
▲３▼靴ひもに巻きつけタグ状に接合するようにスナップを付けた認識票
【考案の効果】
簡便且つ美的感覚に優れた認識票により靴の所有者を明確にすることが可能となり、靴の履き間違いが防止できる。
【図面の簡単な説明】
【図１】  靴ひもに巻きつけロール状に接合するようにベルクロ加工した認識票実施例
【図２】  靴ひもに巻きつけタグ状に接合するようにベルクロ加工した認識票実施例
【図３】  靴ひもに巻きつけタグ状に接合するようにスナップを付けた認識票実施例
【図４】  ロール状に接合する認識票を靴ひもに巻きつけた使用例
【図５】  タグ状に接合する認識票を靴ひもに巻きつけた使用例
【図１】
0003109440.tif 000003
【図２】
0003109440.tif 000004
【図３】
0003109440.tif 000005
【図４】
0003109440.tif 000006
【図５】
0003109440.tif 000007
(57)【要約】【課題】自分の眉毛を整えたい。人々が好きな時、顔に簡単に装着できる眉毛を提供する。【解決手段】フィルム又はシート状のベースに人毛又は人工毛を植毛し、ベースの裏面に粘着剤もしくは接着剤の層を形成してあることを特徴とする、つけ眉毛。また、フィルム又はシート状のベースに植毛したのみの場合は、接着で装着することが出来ることを特徴とするつけ眉毛。【選択図】図３
0003109438.tif 000002
【実用新案登録請求の範囲】
【請求項１】
フィルム又はシート状のベースに人毛又は人工毛を植毛したことを特徴とするつけ眉毛。
【請求項２】
フィルム又はシート状のベースに人毛又は人工毛を植毛し、ベースの裏面に粘着剤もしくは接着剤の層を形成してなることを特徴とするつけ眉毛。
【請求項３】
人毛又は人工毛が束ねられてなる毛束体の一端に粘着剤もしくは接着剤の層を設け、なることを特徴とするつけ眉毛。
【考案の詳細な説明】
【技術分野】
【０００１】  必要に応じて顔に装着できるつけ眉毛に関する。
【背景技術】
【０００２】  病気又はケガ等により眉毛が薄くなったり、無くなってしまったりする人が居る。また、美容的に見て自分の眉毛の形が気に入らない、もっと美しく見えるようにしたい、なりたいという要望も強い。
従来は眉毛の形を整えるには、毛抜きで自分で抜いて整えた。又、ハサミ等で余分な眉毛の毛を切ってその形を整えていた。
年齢と共に眉毛に白毛が混じったり、又眉毛が少なくなり薄くなってしまったときは、眉墨とか眉ペンシルで書いて形を整えていたが、上下左右がうまく書けず、やり直しをし、又アンバランスになったりと問題があった。
また、眉墨で書いても汗等で色が流れたり、それがとれてしまったりという問題があった。
本物の眉毛とは印象が異なり、不満足な結果になる場合が多かった。
【考案の開示】
【考案が解決しようとする課題】
【０００３】  手軽に眉毛を整える為の用具が望まれていた。中高年になると眉毛に白毛が混じる。眉毛の量が少なくなり、眉毛が薄くなり殆ど無くなってきて、顔がぼやけて見えるという問題がある。
もっと美しくなりたい、綺麗に見えるようになりたい、という問題を解決するのが本考案の課題である。
また、病気、怪我等で眉毛が消失したり、薬の影響や放射線などの治療に依り眉毛が無くなるのは決して少なくは無い。
軽い運動をした場合、あたたかい食事、飲み物をとったとき、そして夏の季節等には汗が出る。その時、眉毛が薄かったり無かったりする人は、汗がそのまま眉毛に止まらず直接目に入り込み、目がしみて、目が著しく痛い、という問題があった。
その問題を解決するのが本考案の課題である。
【課題を解決するための手段】
【０００４】  請求項１、請求項２、請求項３記載のつけ眉毛は、人毛及び人工毛（化学繊維）を植毛する為の皮膚に近い素材のフィルム又はシート状のものをベースにしたものを備えている。
その人工毛は、鐘淵化学のカネカロン（商標登録）や電化工業のトヨカロン（商標登録）の糸のように、人間のタンパク質やコラーゲン等を含浸させて、人間の毛髪に限りなく近づけた人工毛などが選択される。
また、皮膚に近いフィルム又はシートというものは、皮膚に近い色であり又感触も皮膚に近いものである。例えば、ポリウレタン系素材、ポリエチレン系や塩化ビニール系等のやわらかい素材が好適である。
そして、植毛方法としては、フィルム又はシート状のベース２，２１，２２に植毛し、その裏面に接着剤を薄く塗布し乾燥させ、乾燥後、再度植毛する。その後、その裏面に薄い接着剤を塗布し再再度植毛する。それを５回から１０回程重ねて仕上げるものである。その様に多重層にする事により、例えば１ｃｍ四方の中に２０本位の植毛しか出来ないときに植毛と接着を多重にする事により、１００本から２００本程の密度で植毛することが出来る。それにより、人間の眉毛のように少ない面積のところに毛が緻密になり、また毛の生え方をランダムに仕上げることが出来る。
そして、薄い接着剤の仮止めは植えた毛をゆるませない又抜けない様にする事が出来る。また、人の眉毛は顔の中心に近い所の毛の生え方、耳側の方の毛の生え方と毛の方向が全て異なっている。
それを人の眉毛と同じように再現する方法として接着剤使用の多重層の形成により可能にした。毛を植える時に眉毛の特徴に合わせて植毛し、接着剤で仮止めをする。その繰り返しで、より人の眉毛の形状に近い形状を形成する事が出来る。
それにより、眉毛の毛の方向も人間の眉毛のくせに合わせ、人間の眉毛の生え方に近づけることが出来、より自然な眉毛を形成する事が出来る。
【考案を実施するための最良の形態】
【０００５】  図に示すように、フィルムシートのベース２，２１，２２は、自分でカットすることも出来るし、又切込みを入れておき、剥がしたり、切り取ったりすることが出来る。
また、その形状は人間の眉の形状にしても良い。
その眉毛の形１，１１，１２，１３は、細い、太い、長い、短い等の様々な形状の中より選ぶことが出来、又自分でハサミ等でその形や毛の長さ等を微調整することが出来ることを特徴とするのである。
フィルムに植毛のみの場合は、接着剤等を適量付けて装着する。
尚、接着剤として使用に好適なものとして、毛髪用接着剤、かつら固定用接着剤としてよく用いられているところのシリコン系、エポキシ系、ポリウレタン系、ラテックス系等の接着剤また、シノア系瞬間接着剤等がある。
また、シリコンゴム系の接着剤も肌にやさしく、透明性にもすぐれているので適している。【０００６】  図１は、毛１を眉毛状にベース２に植毛する。
図２は毛１１をベース２１に矩形状抱えこんだもの。
図３は眉状にしたベース２２に毛１２を全面に植毛する。
図４はベース２に毛１を植毛しベースの裏面には接着剤層３を形成している。
図５はつけ眉毛とする毛束体１３をそろえておき、その一端に接着剤もしくは粘着剤を毛束体を一体になるように形成している。
図には省略したが、セパレーター（ハクリ紙）を用意し、図５のつけ眉毛を添着しても良い。
【図面の簡単な説明】
【０００７】
【図１】本考案つけ眉毛の一例を示す平面図である。
【図２】本考案つけ眉毛の他の例を示す平面図である。
【図３】本考案つけ眉毛の更に他の例を示す平面図である。
【図４】本考案つけ眉毛の断面形状の一例を示す縦断面図である。
【図５】本考案つけ眉毛の断面形状の他の例を示す縦断面図である。
【符号の説明】
【０００８】  １  人毛及び人工毛
２  フィルム又はシート状のベース
３  接着剤又は粘着剤の多重層
１１  人毛もしくは人工毛又はそのミックスされたもの
１２  人毛もしくは人工毛又はそのミックスされたもの
１３  人毛もしくは人工毛又はそのミックスされたものの毛束体
２１  フィルム又はシート状のベース
２２  眉毛状にしたフィルムもしくはシート状のベース
３３  接着剤もしくは粘着剤の多重層
【図１】
0003109438.tif 000003
【図２】
0003109438.tif 000004
【図３】
0003109438.tif 000005
【図４】
0003109438.tif 000006
【図５】
0003109438.tif 000007
(57)【要約】【課題】  本考案は、刊行物公知の差し札は構造が複雑すぎたり、高価なものであったのに鑑み、このような欠点を除去し、安価でありながら、趣向をこらした目立つ装飾性を発揮して販促効果を高めることができる差し札ないし表示札を提供することを目的とする。【解決手段】  本考案は、任意形状と大きさから成る部材１の内部に任意形状の切込片部２を設け、この切込片部を起立し得るようにする表示札であり、またはケーキ用差し札である。【選択図】    図４
0003109413.tif 000002
【実用新案登録請求の範囲】
【請求項１】
任意形状と大きさから成る部材の内部に任意形状の切込片部を設け、この切込片部を起立し得るようにすることを特徴とする表示札。
【請求項２】
任意形状と大きさから成る部材の内部に任意形状の切込片部を設け、この切込片部を起立し得るようにすることを特徴とするケーキ用差し札。
【考案の詳細な説明】
【技術分野】
【０００１】
本考案は、ケーキ等の差し札その他の表示札に関するものである。
【背景技術】
【０００２】
従来、ケーキ上に載せて装飾効果を出したり、趣向をこらした差し札としては、次のようなものが存していた。
【０００３】
【特許文献１】実開平６−３８５６７号公報
【特許文献２】登録実用新案第３０８１９９０号公報
【０００４】
しかし、これらの刊行物に見られる構成は、構造が複雑過ぎたり、高価なものであったりして、装飾目的の差し札としては必ずしも適当なものであったとはいえない。
【考案の開示】
【考案が解決しようとする課題】
【０００５】
そこで、本考案は、安価でありながら、趣向をこらした目立つ装飾性を発揮することにより販促効果を高めることができる差し札ないし表示札を提供することを目的とするものである。
【課題を解決するための手段】
【０００６】
本考案は、任意形状と大きさから成る部材の内部に、任意形状の切込片部を設け、この切込片部を起立し得るようにするものである。
【考案の効果】
【０００７】
このような構成から成る本考案物を例えばケーキ上に立てて置くことは、装飾効果を発揮することによって、特に目立った販促宣伝効果をあげることができるようになり、顧客の注目度を引くことにより他との差別化を表示することができることになり、ケーキを食する者にとっては特に気分を良好にすることになる。
【０００８】
部材内に構成する切込片部は、各種の大きさでかつ任意形状のものにして提供することができる。
【考案を実施するための最良の形態】
【０００９】
本考案物を使用するときは、前記のような構成の差し札である部材に設けた切込片部を水平状態から切り起こして任意の角度に立ち上げる。このような切込片部を起立せしめた上で、ケーキなどの上面部に差し込むようにして置けばよい。
【実施例】
【００１０】
１は任意形状と大きさと厚さから成る部材で、この部材の形状例としては、各種の角形，各種の円形など任意に成る。部材の材質は、リサイクル可能な適環境材であるユポ紙（ＰＰを原料とした合成紙）が適当である。
【００１１】
この部材１の表面は、ホログラム箔やホログラムシールとの結合によって光沢を発揮する面にしたり、着色面にしたり、また文字を印刷してもよい。
【００１２】
２，２は前記部材１の内部に設けた切込片部で、任意形状に成るこの切込片部は中間部３，３を残して左右両側に切込部４，４を形成する。
【００１３】
この切込片部２の設けは単数でも複数でもよい。
【００１４】
水平状態に成るこの切込片部２は、使用時に一側又は両側の切込部４を任意角度に起し立てる。
【００１５】
ａはケーキである。
【図面の簡単な説明】
【００１６】
【図１】一実施例の使用前の正面図
【図２】（ａ）（ｂ）（ｃ）（ｄ）は他例の使用前の正面図
【図３】一実施例の使用時の断面図
【図４】ケーキ上の一使用例の斜視図
【図５】他実施例の斜視図
【符号の説明】
【００１７】
１                    部材
２，２                切込片部
３，３                中間部
４，４                切込部
【図１】
0003109413.tif 000003
【図２】
0003109413.tif 000004
【図３】
0003109413.tif 000005
【図４】
0003109413.tif 000006
【図５】
0003109413.tif 000007
(57)【要約】      （修正有）【課題】発熱体を貫通する孔のを形成する隔離壁の交差個所に断裂が生じるのを防止するべく、遠赤外線管状多孔質セラミック発熱体を提供する。【解決手段】本体２を一体成型し、該本体２に複数の貫通する孔２０を設けるが、該孔２０を形成する隔離壁２１が交差する個所を円弧形とすることで鋭角をなくし、応力の発生を減少させ、更に該本体２外部に電熱フィルムを被覆し、該電熱フィルムの両端には該本体２軸心と平行方向に成型される電極を設ける。【選択図】図２
0003109453.tif 000002
【実用新案登録請求の範囲】
【請求項１】
円形或いはその他の適当な形状を呈した本体を含み、
該本体内部には前後に貫通する複数の孔を設け、表面は各機能性材料に付着する個所となり、また該孔を形成する各隔離壁においては、鋭角を無くして応力の発生を減少させることで該隔離壁の交差個所に断裂が生じるのを防止するべく、該隔離壁の交差する個所を円弧形に設計することを特徴とする遠赤外線管状多孔質セラミック発熱体。
【請求項２】
該孔を形成する隔離壁において、その交差する個所の円弧形とは、詳細には円弧状に膨らんだ形状、或いは逆に円弧形に窪んだ形状を呈しているものであることを特徴とする請求項１記載の遠赤外線管状多孔質セラミック発熱体。
【請求項３】
発熱体外部表面は電熱フィルムで被覆され、該電熱フィルムの両端はそれぞれ電極が形成され、且つ該二つの電極は該発熱体軸心と相互に平行する方向に沿って水平に延伸することを特徴とする遠赤外線管状多孔質セラミック発熱体。
【請求項４】
発熱体の孔内壁表面は電熱フィルムで被覆され、二つの電極は発熱体の外部に形成されることを特徴とする遠赤外線管状多孔質セラミック発熱体。
【請求項５】
該電極は、金属バンドにより該発熱体外に設けられた電極配置区に固定されることを特徴とする請求項４記載の遠赤外線管状多孔質セラミック発熱体。
【考案の詳細な説明】
【技術分野】
【０００１】
本考案は遠赤外線管状多孔質セラミック発熱体に係り、特に各種触媒や加熱及び導電用部品等に適用される発熱体であり、該発熱体内部における貫通する孔の隔離壁が交差する個所を円弧形とすることで断裂の発生を極力抑えた構造を具有するセラミック発熱体に関わる。
【背景技術】
【０００２】
多孔質セラミックキャリアは触媒キャリア（消臭触媒、遠赤外線触媒など）、加熱及び導電部品等として幅広くしようされている。これらのうち加熱部品を例にとると、更に昔より使用されてきた電熱コイルと比較した場合、使用時に二次に渡る伝熱が必要なく、よって加熱が迅速で安全且つ効率がよいといった優れた点を具有する。
また図１に示すように、公知における多孔質セラミック発熱体では、主に一体成型された本体１を具有し、該本体１上には複数の貫通する孔１０が設けられ、該本体１は方形や円形、及びその他の適当な形状を呈しており、該孔１０は各種機能性材質に付着する個所となる。また該孔１０の隔離壁１１が交差する個所には鋭角１２が形成されている。
【考案の開示】
【考案が解決しようとする課題】
【０００３】
上述の公知における発熱体における欠点として、該発熱体を貫通する孔の隔離壁の交差個所の鋭角が、使用時において流体が通過することにより応力が生じ、該鋭角個所が断裂を起こしやすいことが挙げられる。
上述の欠点に鑑み、発熱体を貫通する孔を形成する隔離壁の交差個所に断裂が生じるのを防止するべく、本考案の遠赤外線管状多孔質セラミック発熱体を提供する。
【課題を解決するための手段】
【０００４】
本体を一体成型し、該本体に複数の貫通する孔を設けるが、該孔を形成する隔離壁が交差する個所を円弧形とすることで鋭角をなくし、応力の発生を減少させ、更に該本体外部に電熱フィルムを被覆し、該電熱フィルムの両端には該本体軸心と平行方向に成型される電極を設ける。
【考案の効果】
【０００５】
本考案によると、流体により受ける応力が減少し、断裂を効果的に防止する目的が達成された。
【考案を実施するための最良の形態】
【０００６】
図２に示すように、本考案の遠赤外線管状多孔質セラミック発熱体には、本体２を具有し、該本体２は金型により一体成型されたものであり、且つ内部には適当な数量の前後に貫通する孔２０が設けられている。該本体２０は円形とするが、設置する環境に応じては方形及びその他の適当な形状としてもよい。該本体２０内部に設けられた孔２０表面は各機能性材料に付着する個所となり、また該孔２０の隔離壁２１は交差個所が円弧形を呈して接触している形を呈する。よって円弧状に膨らんだ形状とすることでは円柱状２２を呈し（図２参照）、円弧状に内側に窪んだ形状とすることでは内円弧形面２３（図３参照）が形成され、いずれも該孔２０内部に鋭角が生じないよう工夫されているものとし、こうすることで使用時に応力の発生が抑えられ、該隔離壁２１の交差個所に断裂が生じるのを効果的に防止する。
【０００７】
図４に示すように、本考案の第二実施例では、外部表面が電熱フィルム３１で被覆され、且つ該電熱フィルム３１の両端はそれぞれ電極３２，３３が形成され、該二つの電極３２，３３は該発熱体軸心と相互に平衡する方向に沿って水平に延伸するものであり、よって全体が更なる発熱状態を達するものとなっている。
図５に示すように、本考案の第三実施例における電極４１，４２は、それぞれ発熱体両端付近内側に形成され、フィルム４３は該孔の内壁に形成される。
また図６に示すように、本考案における第四実施例では、該発熱体５１の外側両側部分にそれぞれ電極配置区５２，５３を儲け、該電極配置区５２，５３上には更に金属バンド５４，５５を設けて電極と連接する個所を提供する。
【図面の簡単な説明】
【０００８】
【図１】公知における多孔質セラミック発熱体の断面図である。
【図２】本考案における断面図である。
【図３】本考案のもう一つの実施例における断面図である。
【図４】本考案における第二実施例を示す図である。
【図５】本考案における第三実施例を示す図である。
【図６】本考案における第四実施例を示す図である。
【符号の説明】
【０００９】
１，２  本体
１０，２０  孔
１１，２１  隔離壁
１２  孔鋭角
２２  円柱状
２３  内円弧形面
３１  電熱フィルム
３２，３３  電極  
４１，４２  電極
４３  電熱フィルム
５１  発熱体
５２，５３  電極配置区
５４，５５  金属バンド
【図１】
0003109453.tif 000003
【図２】
0003109453.tif 000004
【図３】
0003109453.tif 000005
【図４】
0003109453.tif 000006
【図５】
0003109453.tif 000007
【図６】
0003109453.tif 000008
(57)【要約】      （修正有）【課題】大きな設備や器械等を必要とせず、子供から老人までの広い年齢層の誰でもが行ない得る例えばラジオ体操のような体操を行なう際に、その健康増進等の効果を更に高めるための極めて簡単な構造の健康用具を作成する。【解決手段】全体が手にて握り保持し得る大きさであって、内部に中空部を有するほぼ円柱状の握り部１と、握り部の中空部に金属にて形成された錘を封入したもので、所望の重量を有し、手に持って体操を行ない得るようにした。【選択図】図１
0003109459.tif 000002
【実用新案登録請求の範囲】
【請求項１】
全体としてほぼ円柱状をなし中空部を有する握り部と、前記中空部内に所望の重量の錘を配置し、中空部の両端部に錘が抜け出るのを防止する栓を設けたものであって、体操等を行なう際に手に握りしめて使用する健康用具。
【考案の詳細な説明】
【技術分野】
【０００１】
本考案は、体操を行なう際に使用する健康用具に関するものである。
【背景技術】
【０００２】
近年の健康指向により、各種の運動が行なわれている。
【０００３】
このような傾向から、各種の健康用具、健康器具が多く開発され、販売されている。
【０００４】
しかし、その多くは、複雑な構造のものが多く、したがってコスト高である等、一般家庭で購入して利用するには高価であると共に設置場所の関係からも好ましくない。
【０００５】
また、子供から老人までの広い年齢層や、健康状態や体力の異なるすべての者が簡単に使用し得る健康用具はほとんど知られていない。
【考案の開示】
【考案が解決しようとする課題】
【０００６】
本考案は、以上の事情に鑑みなされたもので、例えばラジオ体操のような誰でも気軽に行ない得る体操に際して、体力維持や健康増進のための効果を一層促進させるために考案したものである。特に、本考案の考案者は、子供から老人まで、多くの人が気軽に行ない得て、しかも健康を増進させ得る体操を独自にあみだし、その普及に努めるもので、その際の効果の一層の増大のために本考案の健康用具を開発した。
【０００７】
即ち、本考案は極めて簡単な構造であって、したがって安価であり、いかなる年齢のものにも利用し得る健康用具で、各種体操を行なう際に用いる健康用具を提供するものである。
【課題を解決するための手段】
【０００８】
本考案の健康用具は、片手にて握り得る棒状で、一定の重量を有するものである。
【０００９】
この本考案の健康用具は、左右二つで一組をなし、体操を行なう際に、夫々左右の手にて握り締めて体操を行なうもので、その際に左右の手（腕）に一定の負担を加えることにより、体操を行なった時の健康維持や増進を一層増大させ得るものである。
【００１０】
この健康用具は、後に述べる実施例のように短い棒状であって、年齢等に応じた径を有し、握った時の感触の良い材質で形成され、、また内部には、一定の重量をもたせるために、鉄の棒等の金属製の棒（錘）を埋め込んだものである。    本考案の健康用具は、外周部分にあたる握り部分を中空構造にし、この中空部に例えば円柱状の錘を挿入した上で両端を密封した構造である。
【００１１】
ここで、使用する者の年齢等に応じて握り部分の径および長さを適当なものに設定し、また、その人の体力その他に合わせて錘の重量を適切なものにすることが好ましい。
【００１２】
また、錘を交換し得るような構造にすることにより、径の異なる握り部や中に挿入する錘もその重量が異なるものを複数個容易することによって、使い分けることも可能である。
【考案の効果】
【００１３】
本考案は、極めて簡単な構造で、したがって低コストで、一般の人が簡単に利用し得て健康増進に役立つという効果を有する。
【考案を実施するための最良の形態】
【００１４】
本考案の実施例を図にもとづいて説明する。
【実施例１】
【００１５】
図１、図２は、本考案の健康用具を示し、図１は斜視図、図２は断面図である。
【００１６】
本考案の健康用具は、図１に示すように、外周部分が木製あるいは合成樹脂製の中空部分２を有する握り部１をなし、図２に示すように、中空部２の内部に錘３を配置した上で錘３の両側、握り部１の中空部２の両端部分２ａ，２ｂを栓４にて密封して、錘３が抜け出ないようにした構造である。
【００１７】
これにより、使用者は、握り部１の中央を握り、本考案の健康用具を持って、体操を行なうものである。
【００１８】
それにより、中空部２内に埋め込まれた錘３により体操を行なう者の腕に一定の負担が掛かり、主として腕の力が増強される。
【００１９】
また、腕のみではなく、運動の内容によって人体各部の筋力が増し、健康の維持と体力の増強を図ることが可能である。
【００２０】
即ち、体操により一層の健康の維持と、体力の増進を図ることができる。
【００２１】
しかも、構造がいたって簡単であるために、子供や老人でも気軽に用いることができる。
【００２２】
本考案の健康用具は、前記のような構造であるため、径や長さの異なる握り部と重量の異なる錘３とを夫々用意し、その組み合わせを適宜選択することにより、各種の本考案健康用具の製造が可能であり、低コストで使用者に最も適したものを低コストにて提供できる。
【００２３】
また、栓４を握り部１の一方または両端部分にねじ込む等の手段にて取り外し可能な構造にすれば、握り部１または錘３の交換が容易になる。
【００２４】
これにより、例えば使用者が複数の握り部や錘を用意することが可能になり、中空２の内部に挿入し配置する錘３の重量を変えることにより重量の異なる棒を用意することが可能である。
【００２５】
つまり、年齢、体重等の体力に応じ、各自に適した重量の健康用具を使用することにより、また、同一の者でもその時の体の調子に合わせて最適の重量のものを選択使用することにより、無理のない体操が可能になる。
【産業上の利用可能性】
【００２６】
本考案の健康用具は、健康を保持し、あるいは健康、体力を更に増進させるための用具であって、構造が簡単であり、製造が容易であり、極めて安価である。そのため、一般家庭でも気軽に購入、利用し得る。更に小型であるため家での設置場所等も問題もなく、誰でも使用し得て、自然に健康の保持と体力の増進に役立つ用具である。
【図面の簡単な説明】
【００２７】
【図１】本考案の健康用具の斜視図
【図２】本考案の健康用具の断面図
【符号の説明】
【００２８】
１    握り部
２    中空部
３    錘
４    栓
【図１】
0003109459.tif 000003
【図２】
0003109459.tif 000004
(57)【要約】【課題】  一個の花瓶で、スチール製の垂直面、水平面、傾斜面に簡単に固定することを可能にした磁石を有する花瓶を提供する。【解決手段】  花瓶１の上部と下部に磁石２、３を有することにより一個の花瓶でスチール製の机、壁、柱、棚及び冷蔵庫、洗濯機等の家電製品などの垂直面、水平面、傾斜面、狭小な箇所に花瓶を固定することを可能とする。【選択図】          図１ 
0003109872.tif 000002
【実用新案登録請求の範囲】
【請求項１】
花瓶の上部と下部に磁石を有する花瓶。
【請求項２】
請求項１記載の花瓶において、前記磁石が前記花瓶本体の側面部と同一面に設けられた花瓶。
【考案の詳細な説明】
【技術分野】
【０００１】
本考案は、花瓶の上部と下部に磁石を有する花瓶に関するものである。
【背景技術】
【０００２】
従来の花瓶は、花を飾る時は置用又は壁掛け用のものであった。
従来壁掛け用の花瓶は、釘、フック等を用い壁面、柱等に固定していた。
【考案の開示】
【考案が解決しようとする課題】
【０００３】
従来の技術では、スチール製の壁面、柱等に花瓶を取り付ける際、穴があいた箇所か又は、穴あけ加工をしてフック等を付けなければ花瓶を取り付けることができなかった。
【０００４】
又、細長い花瓶は、転倒を防ぐために下部を大きくしたり、広くしなければならないという問題があった。
【０００５】
本考案は、上記のような欠点をなくすように考案されたものである。
花瓶をスチール製の壁、柱等の垂直面、及び水平面、傾斜面に固定でき、好みの箇所に花瓶を固定し花を飾ることができる花瓶を提供するものである。
【課題を解決するための手段】
【０００６】
上記目的を達成するために、花瓶の上部と下部に磁石を有するものとした。
なお、磁石は花瓶の側面部と同一になる位置に設けると、スチール製の垂直面、水平面、傾斜面に簡単に脱着可能となる。
【考案の効果】
【０００７】
本考案は、花瓶の上部と下部と花瓶の側面部と同一面に磁石を有することにより、スチール製の机、壁、柱、ロッカー、棚及び冷蔵庫、洗濯機等の家電製品などに広、狭を問わず簡単に固定することができ花（生花、造花）を飾ることができる。
【考案を実施するための最良の形態】
【０００８】
以下、本考案の実施の形態を実施例となる図面を参照して説明する。
図１、図２に示すように花瓶１の上部と下部に花瓶の側面部と同一面になるように磁石２、３を有している。
【０００９】
図４は、スチール製の垂直面に花瓶を固定した図であり、花瓶１の上部と下部の２個の磁石２、３で垂直面に吸着し花瓶を固定している。
【００１０】
図５は、スチール製のＬ型棚受５の先端部に、花瓶の下部の磁石３によって固定したものである。広い箇所はもちろん狭小な箇所にも花瓶を固定することができる。
【００１１】
上記のように、一個の花瓶で垂直面、水平面に広、狭を問わず固定することができる。
【図面の簡単な説明】
【００１２】
【図１】花瓶の斜視図
【図２】花瓶の斜視図
【図３】花瓶の断面図
【図４】花瓶を壁面に取り付けている図
【図５】Ｌ型棚受の先端部に花瓶を設置している図
【符号の説明】
【００１３】
１    花瓶
２    上部磁石
３    下部磁石
４    花
５    Ｌ型棚受
【図１】
0003109872.tif 000003
【図２】
0003109872.tif 000004
【図３】
0003109872.tif 000005
【図４】
0003109872.tif 000006
【図５】
0003109872.tif 000007
(57)【要約】【課題】この考案は、出力特性において折れ点近傍の歪を低減することができる折れ線回路を提供する。【解決手段】  一方の入力端子が接地された演算増幅器と、演算増幅器の他方の入力端子に、入力信号を導くラインと、前記他方の入力端子にバイアス電位を与える回路と、前記他方の入力端子と出力端子間に、順方向に接続された第１、第２のダイオードと、前記第１第２のダイオードの直列回路に対して並列接続された第１の抵抗と、記演算増幅器の出力端子と前記第１、第２のダイオードの接続点を接続したラインと、を具備し、前記第１及び又は第２のダイオードに対して第２の抵抗を並列接続する。【選択図】      図２
0003109862.tif 000002
【実用新案登録請求の範囲】
【請求項１】
一方の入力端子が接地された演算増幅器と、
演算増幅器の他方の入力端子に、入力信号を導くラインと、
前記他方の入力端子にバイアス電位を与える回路と、
前記他方の入力端子と出力端子間に、順方向に接続された第１、第２のダイオードと、
前記第１第２のダイオードの直列回路に対して並列接続された第１の抵抗と、
記演算増幅器の出力端子と前記第１、第２のダイオードの接続点を接続したラインと、を具備し、前記第１及び又は第２のダイオードに対して第２の抵抗を並列接続したことを特徴とする折れ線回路。
【考案の詳細な説明】
【技術分野】
【０００１】
本考案は、折れ線回路に関するもので、例えば、スレッシュホールドレベルを持ち直線的な変化特性を有する回路に係わるもので、補正信号などを作成する回路に用いて有効である。
【背景技術】
【０００２】
入力の直線的な変化に対して出力を折れ線状に変化させる回路がある。この種の回路は、例えば増幅器の出力特性を曲線に近似線させる場合に利用される。
【非特許文献１】出典「精選アナログ実用回路集」、稲葉保、ＣＱ出版）
【考案の開示】
【考案が解決しようとする課題】
【０００３】
折れ線回路の出力の変化点を決める場合、ダイオードの特性を利用することが多い。しかしながら、ダイオードの非線形特性により、特性線において、折れ点の近傍が明瞭に理想的にならない。
【０００４】
そこでこの考案は、出力特性において、折れ点近傍の歪を低減することができる折れ線回路を提供することを目的とする。
【課題を解決するための手段】
【０００５】
この考案は、上記の目的を達成するために、一方の入力端子が接地された演算増幅器と、演算増幅器の他方の入力端子に、入力信号を導くラインと、前記他方の入力端子にバイアス電位を与える回路と、前記他方の入力端子と出力端子間に、順方向に接続された第１、第２のダイオードと、前記第１第２のダイオードの直列回路に対して並列接続された第１の抵抗と、記演算増幅器の出力端子と前記第１、第２のダイオードの接続点を接続したラインと、を具備し、前記第１及び又は第２のダイオードに対して第２の抵抗を並列接続したことを特徴とする。
【考案の効果】
【０００６】
上記の手段により、第２の抵抗に対して電流が流れるために、折れて点近傍の特性が、リニアな特性に近づく。
【考案を実施するための最良の形態】
【０００７】
以下、図面を参照してこの考案の実施の形態を詳細に説明する。図１を参照してまずこの考案の前提となる回路について説明する。入力端子１１は、反転器１２、抵抗１３を直列に介して演算増幅器１４の負入力端に接続されている。この演算増幅器１４の正入力端は、接地される。また演算増幅器１４の負入力端には、抵抗１５を介してバイアス電圧部１６が接続されている。
【０００８】
次に、演算増幅器１４の負入力端と出力端子１７間には、順方向の第１のダイオードＤ１、第２のダイオードＤ２が直列接続されている。
【０００９】
さらに、第１のダイオードＤ１、第２のダイオードＤ２の直列回路に対して、第１の抵抗１８が並列接続されている。
【００１０】
この折れ線回路の入出力特性を見ると、図１（Ｂ）に示すように、入力電圧が折れ点Ｐ１を得たい電圧になってからすぐにリニアに出力が立ち上がることなく、折れ点近傍では理想的な変化線Ｌ１に対して、変形した変化線Ｌ２となる。
【００１１】
これはダイオードの非線形特性によるものである。そこで、この歪をなくすために、本考案では、図２（Ａ）の如く、例えばダイオードＤ１に対して並列に抵抗２１を接続する。このように構成した場合、図２（Ｂ）に示すように、折れ点Ｐ１付近で、歪が改善された特性線Ｌ４を得ることができる。他の部分は、図１（Ａ）の回路と同様な構成であるために、同一符号を付している。
【００１２】
この場合、折れ点Ｐ１の位置が、図１（Ｂ）に比べてずれるが、これは抵抗１３、１５の値を調整することで図１の場合と同じ値の位置へ合わせることができる。
【００１３】
この考案は、上記の実施の形態に限定されるものではない。図３（Ａ）には、この考案の他の実施の形態を示している。この実施の形態では、ダイオードＤ２に対して並列に抵抗２２を接続している。他の部分は、図１（Ａ）の回路と同様な構成であるために、同一符号を付している。
【００１４】
この実施の形態の回路であると、図３（Ｂ）に示すように、折れ点Ｐ１付近で、歪が改善された特性線Ｌ３を得ることができる。他の部分は、図１（Ａ）の回路と同様な構成であるために、同一符号を付している。
【００１５】
さらにこの考案は、図４に構成されてもよい。即ち、ダイオードＤ１に対して抵抗２１が並列接続され、ダイオードＤ２に対して抵抗２２が並列接続された構成である。
【図面の簡単な説明】
【００１６】
【図１】この考案の前提となる回路図とその特性を示す図である。
【図２】この考案の一実施の形態を示す回路図とその特性図である。
【図３】この考案の他の実施の形態を示す回路図とその特性図である。
【図４】この考案のさらに他の実施の形態を示す回路図とその特性図である。
【符号の説明】
【００１７】
１４…演算増幅器、Ｄ１，Ｄ２…ダイオード、１５、１８…抵抗、２１，２２…抵抗。
【図１】
0003109862.tif 000003
【図２】
0003109862.tif 000004
【図３】
0003109862.tif 000005
【図４】
0003109862.tif 000006
(57)【要約】      （修正有）【課題】マッチ、ライター、ロウソク等を使用することなく、かつ、極めて容易に線香に点火し得るようにした線香具を提供する。【解決手段】一端にマッチ頭薬３を備えた線香１と、マッチ側薬７を備えた支持体５とよりなることを特徴とする線香具。線香１は、好ましくは、多数本が結束されている。線香１は、墓、仏壇等に供えられる従来の線香と同様のものである。マッチ頭薬３は、安全マッチに使用されている頭薬と同様のものである。マッチ側薬７は、安全マッチに使用されている側薬と同様のものである。【選択図】図２
0003109865.tif 000002
【実用新案登録請求の範囲】
【請求項１】
一端にマッチ頭薬を備えた線香と、マッチ側薬を備えた支持体とよりなることを特徴とする線香具。
【請求項２】
前記線香は多数本が結束されていることを特徴とする請求項１に記載の線香具。
【考案の詳細な説明】
【技術分野】
【０００１】
本考案は、線香具に関するものであり、更に詳しくは、線香に極めて容易に点火し得るようにした線香具に係るものである。
【背景技術】
【０００２】
線香は、白檀、丁字、沈香、安息香等の粉末を松脂等の糊料により線状に固めてなるものであり、墓、仏壇等に供えられる。
【０００３】
実用新案登録第３０５１２４８号公報は、線香の一例を示している。
【特許文献１】実用新案登録第３０５１２４８号公報
【考案の開示】
【考案が解決しようとする課題】
【０００４】
線香を墓等に供える場合には、一般に、マッチ、ライター、ロウソク等の点火手段により線香の一端に点火される。
【０００５】
しかるに、風が吹いている墓地において、マッチ、ライター、ロウソク等の点火手段により線香の一端に点火することは容易ではない。特に、多数本が帯紙により結束されている線香に点火する作業は極めて困難である。
【０００６】
本考案は、このような問題を解決し、マッチ、ライター、ロウソク等を使用することなく、かつ、極めて容易に線香に点火し得るようにした線香具を提供しようとしてなされたものである。
【課題を解決するための手段】
【０００７】
上記課題を解決するために、本考案は、下記の線香具を提供する。
【０００８】
（１）一端にマッチ頭薬を備えた線香と、マッチ側薬を備えた支持体とよりなることを特徴とする線香具（請求項１）。
【０００９】
（２）前記線香は多数本が結束されている（請求項２）。
【００１０】
［考案の作用］
［請求項１の考案］
線香を墓等に供える際には、線香を手に持ち、線香の一端に備えさせたマッチ頭薬を支持体のマッチ側薬に擦るのである。しかるときは、マッチ頭薬は発火し、線香が燃焼を開始する。即ち、線香は、安全マッチと同様に、発火し、燃焼する。
【００１１】
［請求項２の考案］
多数本の線香を結束状態のまま手に持ち、これらの線香の一端に備えさせたマッチ頭薬を支持体のマッチ側薬に擦ることにより、線香を発火、燃焼させる。なお、結束された線香のうちの一本ないし数本を束から取り出し、同様に発火、燃焼させても差し支えないことはいうまでもない。
【考案の効果】
【００１２】
本考案によれば、マッチ、ライター、ロウソク等を使用することなく、かつ、極めて容易に線香に点火することができる。また、風が吹いているときでも、支障なく線香に点火することができる。
【考案を実施するための最良の形態】
【００１３】
符号１に示すものは線香である。
【００１４】
線香１は、墓、仏壇等に供えられる従来の線香と同様のものであって、白檀、丁字、沈香、安息香等の粉末を松脂等の糊料により線状に固めてなるものである。
【００１５】
線香１の一端にマッチ頭薬３を備えさせる。
【００１６】
マッチ頭薬３は、安全マッチに使用されている頭薬と同様のものであって、マッチ頭薬３の組成の一例を下記に示す。
【００１７】
塩素酸カリウム：５２重量％
硝子粉：２１重量％
珪藻土：７重量％
雲母粉：４重量％
松脂：２重量％
にかわ：１４重量％
【００１８】
符号５に示すものは、マッチ側薬７を備えた支持体である。
【００１９】
マッチ側薬７は、安全マッチに使用されている側薬と同様のものであって、マッチ側薬７の組成の一例を下記に示す。
【００２０】
赤リン：５５重量％
硫化アンチモン：１９重量％
膠着剤：２６重量％
【００２１】
マッチ側薬７の支持体５は、一例として、線香１の収納箱とする。即ち、一例として、線香１を収納する収納箱の外側面にマッチ側薬７を備えさせる。
【００２２】
線香１は、好ましくは、多数本を帯紙等の結束手段９により結束する。
【００２３】
線香１は、例えば１５〜２０本を結束手段９により結束することが望ましい。因みに、従来の線香は、一般に５０本程度が結束されている。
【図面の簡単な説明】
【００２４】
【図１】一端にマッチ頭薬を備えた線香を示す正面図である。
【図２】結束された線香のマッチ頭薬を支持体のマッチ側薬に擦っている状態を示す側面図である。
【符号の説明】
【００２５】
１  線香
３  マッチ頭薬
５  支持体
７  マッチ側薬
９  結束手段
【図１】
0003109865.tif 000003
【図２】
0003109865.tif 000004